(57)【要約】      （修正有）【課題】位置決め部材の配置変更作業を簡単に短時間で的確に行うことができ、しかも構造が比較的簡素な巻芯位置決め装置を提供する。【解決手段】巻芯位置決め装置２０は、巻軸に平行な支持棒３と、支持棒３上の所要位置に配置した、巻芯毎の位置決め部材４と、巻軸に対して支持棒３を接近離反可能に両端支持する一対の可動腕５と、支持棒３をその長手方向に移動可能に直接的又は間接的に案内する案内機構と、支持棒３の位置を該支持棒３の長手方向に微調整可能な位置微調整機構１０を備える。位置微調整機構１０は、支持棒３の端部１４に螺合すると共に、可動腕５により回転可能にかつ軸線方向に拘束して保持したネジ棒２１と、ネジ棒２１に操作部２０の回転を伝達する手段２４、２５、２６とからなる。【選択図】図３
2010195500.tif 000002
【特許請求の範囲】
【請求項１】
広幅の帯状シートをスリッターにより複数条の狭幅の帯状シートに分割して、一本で複数の巻芯を保持することができる少なくとも二本の巻軸へ振分け、その振り分けた帯状シートを、前記巻軸により保持された個々の巻芯のまわりに巻取るシート分割巻取機において、前記巻軸に平行な支持棒と、前記支持棒上の所要位置に配置した、前記巻芯毎の位置決め部材と、前記巻軸に対して前記支持棒を接近離反可能に両端支持する一対の可動腕とを備え、前記巻軸への前記支持棒の接近により前記巻軸上の巻芯の端面に係合可能な位置に進出した前記位置決め部材が、前記巻軸に外挿した巻芯の巻軸沿いの移動を阻止することにより前記巻芯を巻軸上の保持位置に位置決めする巻芯位置決め装置であって、前記支持棒をその長手方向に移動可能に直接的又は間接的に案内する案内機構と、前記巻軸に対する前記支持棒の位置を該支持棒の長手方向に微調整可能な位置微調整機構とを備え、前記位置微調整機構は、前記支持棒を長手方向に移動するための回転駆動力を受ける操作部を有し、該操作部が受けた回転駆動力を前記支持棒の長手方向の減速された駆動力に変換して前記支持棒に加えるものであることを特徴とする巻芯位置決め装置。
【請求項２】
前記支持棒上の位置決め部材の相互間隔を所定の間隔に保持するためのスペーサと、前記支持棒の一方の端に近い箇所に配設した係止部材と、前記支持棒の他方の端に近い箇所に配設したナットとを備え、前記支持棒上の位置決め部材及びスペーサは、隣り合う位置決め部材の相互間毎にスペーサが配置されるように並べて前記支持棒に装着した後、前記位置決め部材及びスペーサの列を前記係止部材と前記ナットとにより直接的に又は締付用カラーを介して間接的に締め付けて固定してあることを特徴とする請求項１に記載の巻芯位置決め装置。
【請求項３】
前記案内機構は、前記支持棒の一方の端部をスライド可能に保持する、前記一対の可動腕の一方に固設したブッシュと、前記支持棒の他方の端部をスライド可能に保持する、前記一対の可動腕の他方に固設したブッシュとからなり、前記位置微調整機構は、前記支持棒の他方の端部に係合して前記駆動力を加えることができ、前記支持棒の他方の端部は、該支持棒の本体棒部材の他方の端部に分離可能に装着してあることを特徴とする請求項１記載の巻芯位置決め装置。
【請求項４】
前記支持棒上の位置決め部材の相互間隔を所定の間隔に保持するためのスペーサと、前記支持棒の一方の端に近い箇所に配設した係止部材と、前記支持棒の他方の端に近い箇所に配設したナットとを備え、前記案内機構は、前記支持棒の一方の端部をスライド可能に保持する、前記一対の可動腕の一方に固設したブッシュと、前記支持棒の他方の端部をスライド可能に保持する、前記一対の可動腕の他方に固設したブッシュとからなり、前記位置微調整機構は、前記支持棒の他方の端部に係合して前記駆動力を加えることができ、前記支持棒の他方の端部は短い棒部材からなり前記支持棒の本体棒部材の他方の端部に分離可能に装着してあり、前記ナットは前記短い棒部材に螺着してあり、前記位置決め部材及びスペーサは、夫々前記本体棒部材によりスライド可能に貫通されており、隣り合う位置決め部材の相互間毎にスペーサが配置されるように並べて前記本体棒部材に装着した後、前記位置決め部材及びスペーサの列を前記係止部材と前記ナットとにより直接的に又は締付用カラーを介して間接的に締め付けて固定してあり、前記本体棒部材は、該本体棒部材と前記支持棒の他方の端部とを分離したとき前記位置決め部材又は前記設定用スペーサの幅のうち何れか大きいほうの幅に相当する長さ以上に前記支持棒の他方の端部から後退可能であることを特徴とする請求項１記載の巻芯位置決め装置。
【発明の詳細な説明】
【技術分野】
【０００１】
本発明は、プラスチックフィルム等の広幅の帯状シートをスリッターにより複数条の狭幅の帯状シートに分割して、一本で複数の巻芯を保持することができる少なくとも二本の巻軸へ振分け、その振り分けた帯状シートを、前記巻軸により保持された個々の巻芯のまわりに巻取るシート分割巻取機において、巻取運転を始める前に巻軸に外挿した巻芯を、分割された帯状シートに対応する巻軸上の保持位置に位置決めするために用いる巻芯位置決め装置に関する。
【背景技術】
【０００２】
上述の巻芯位置決め装置は、一般に、巻軸に平行な支持棒と、この支持棒上に装着した、巻芯毎の位置決め部材と、支持棒を巻軸に対して接近離反可能に両端支持する一対の可動腕とを備えている。この巻芯位置決め装置では、巻軸に外挿した巻芯を保持位置に位置決めするとき、位置決め部材を巻軸上の巻芯の端面に係合可能な位置に進出するよう支持棒を巻軸に接近させ、その状態で巻軸上の各巻芯を夫々の位置決め部材に向け巻軸沿いに移動させて巻芯の端面を位置決め部材の側面に当接させる。それによって巻芯の移動は阻止され、その巻芯は巻軸上の保持位置に位置決めされる。またスリッターによる広幅の帯状シート分割位置の変更に応じて支持棒上の位置決め部材の配置を変えることができるようにしてある。
【０００３】
位置決め部材の位置を変更可能にするために、従来においては、例えば下記特許文献１に開示されるように、各位置決め部材は、その基部を支持棒で貫通することによって支持棒にスライド可能に装着してある。そして支持棒は、巻取位置の巻軸に対して長手方向に位置ずれしないよう可動腕に固定してあり、可動腕は支持棒の長手方向に移動不能に拘束してある。また位置決め部材は、その基部に螺着した止めネジを有しており、この止めネジにより支持棒に固定することができる。
【０００４】
ところが、最近ではシート分割巻取機において処理する帯状シートの材質、厚み、分割幅等や、使用する巻芯等は多様化しており、一台のシート分割巻取機により多様な分割巻取条件に対応できることが要求される。
【０００５】
しかし、広幅の帯状シートの材質や厚み等が変わったとき、その帯状シートに蛇行が生じたり、その蛇行の大きさが変わったりすることがあり、この帯状シートの蛇行はスリッターから巻軸までの走行経路においても生じ得る。そして、この場合、スリッターにより分割されて振り分けられた狭幅の帯状シートは、夫々スリッターによる分割位置に対応する巻軸上の正規の位置から幅方向に略同量だけ同じ方向にずれて巻軸上に到達する。そのため、帯状シートの蛇行が認められる場合、巻軸上の正規の位置に巻芯を位置決めしておくと、帯状シートが巻芯上の所定位置から巻芯の幅方向にずれた状態で巻取られる。その結果、例えば、巻芯の長さと分割された帯状シートの幅とが同じであり、蛇行によるずれが１ミリメートルであれば、分割された帯状シートが巻取られてできた巻取ロールは、その片方の端面から巻芯の片方の端面が１ミリメール突出し、もう片方の端面から巻芯のもう片方の端面が１ミリメール引っ込んだものとなる。また巻芯の長さが分割された帯状シート幅より２ミリメートル長く、蛇行によるずれが１ミリメールとすると、巻取ロールは、その片方の端面から巻芯の片方の端面が２ミリメール突出し、もう片方の端面と巻芯のもう片方の端面とは揃ったものとなる。そして、このような巻取ロールは不良品と認定されることになる。
【０００６】
そこで、これを防ぐためには、予め帯状シートのずれを見込んで修正をした目的位置に巻芯を位置決めすることが必要になる。また帯状シートの材質や厚み等が変わり帯状シートの蛇行の大きさが変わるときも、その変化に応じて修正をした目的位置に巻芯を位置決めすることが必要になる。
【０００７】
しかし、従来の巻芯位置決め装置により、修正をした目的位置に巻芯を正確に位置決めできるようにするには、支持棒上の位置決め部材を、夫々修正した巻芯の目的位置に正確に対応するよう移動して固定しなければならならず、この位置決め部材の配置変更作業は、時間がかかると共に面倒である。特に、スリッターによる帯状シートの分割数が多い場合には、多数の位置決め部材の位置を個々に変更しなければならないためシート分割巻取機の稼働率低下の原因になる。
【０００８】
なお支持棒上の各位置決め部材の位置の微調整操作を容易にするために、例えば、各位置決め部材に夫々支持棒長手方向のネジを介して位置微調整部材を装着することにより、巻芯の保持位置を微調整する機能を持たせることが提案されるが、装置構造が複雑になると共に高価になる。
【先行技術文献】
【特許文献】
【０００９】
【特許文献１】特開平１０−３１６２８０号公報（段落００１２、段落００１４、図１〜図５）
【発明の概要】
【発明が解決しようとする課題】
【００１０】
そこで本発明は、位置決め部材の配置変更作業を簡単に短時間で的確に行うことができ、しかも構造が比較的簡素な巻芯位置決め装置を提供することを課題としている。
【課題を解決するための手段】
【００１１】
本発明は、広幅の帯状シートをスリッターにより複数条の狭幅の帯状シートに分割して、一本で複数の巻芯を保持することができる少なくとも二本の巻軸へ振分け、その振り分けた帯状シートを、前記巻軸により保持された個々の巻芯のまわりに巻取るシート分割巻取機において、前記巻軸に平行な支持棒と、前記支持棒上の所要位置に配置した、前記巻芯毎の位置決め部材と、前記巻軸に対して前記支持棒を接近離反可能に両端支持する一対の可動腕とを備え、前記巻軸への前記支持棒の接近により前記巻軸上の巻芯の端面に係合可能な位置に進出した前記位置決め部材が、前記巻軸に外挿した巻芯の巻軸沿いの移動を阻止することにより前記巻芯を巻軸上の保持位置に位置決めする巻芯位置決め装置であって、前記支持棒をその長手方向に移動可能に直接的又は間接的に案内する案内機構と、前記巻軸に対する前記支持棒の位置を該支持棒の長手方向に微調整可能な位置微調整機構とを備え、前記位置微調整機構は、前記支持棒を長手方向に移動するための回転駆動力を受ける操作部を有し、該操作部が受けた回転駆動力を前記支持棒の長手方向の減速された駆動力に変換して前記支持棒に加えるものであることを特徴とする。
【００１２】
また、作業者が熟練者でなくても、帯状シートの分割位置が変わったとき位置決め部材を支持棒上の所定位置に正確で確実にかつ短時間で配置できるようにするためには、前記支持棒上の位置決め部材の相互間隔を所定の間隔に保持するためのスペーサと、前記支持棒の一方の端に近い箇所に配設した係止部材と、前記支持棒の他方の端に近い箇所に配設したナットとを備え、前記支持棒上の位置決め部材及びスペーサは、隣り合う位置決め部材の相互間毎にスペーサが配置されるように並べて前記支持棒に装着した後、前記位置決め部材及びスペーサの列を前記係止部材と前記ナットとにより直接的に又は締付用カラーを介して間接的に締め付けて固定してあるものがよい。
【００１３】
また、スリッターによるシート分割位置の変更時等における支持棒への位置決め部材の着脱作業を容易に短時間で行うことができ、かつ位置決め部材を支持棒に正しい姿勢で確実に装着できるようにするには、前記案内機構は、前記支持棒の一方の端部をスライド可能に保持する、前記一対の可動腕の一方に固設したブッシュと、前記支持棒の他方の端部をスライド可能に保持する、前記一対の可動腕の他方に固設したブッシュとからなり、前記位置微調整機構は、前記支持棒の他方の端部に係合して前記駆動力を加えることができ、前記支持棒の他方の端部は、該支持棒の本体棒部材の他方の端部に分離可能に装着してあることが望ましい。
【００１４】
また位置決め部材の支持棒上の配置作業を更に容易かつ短時間で行うことができるようにするには、前記支持棒上の位置決め部材の相互間隔を所定の間隔に保持するためのスペーサと、前記支持棒の一方の端に近い箇所に配設した係止部材と、前記支持棒の他方の端に近い箇所に配設したナットとを備え、前記案内機構は、前記支持棒の一方の端部をスライド可能に保持する、前記一対の可動腕の一方に固設したブッシュと、前記支持棒の他方の端部をスライド可能に保持する、前記一対の可動腕の他方に固設したブッシュとからなり、前記位置微調整機構は、前記支持棒の他方の端部に係合して前記駆動力を加えることができ、前記支持棒の他方の端部は短い棒部材からなり前記支持棒の本体棒部材の他方の端部に分離可能に装着してあり、前記ナットは前記短い棒部材に螺着してあり、前記位置決め部材及びスペーサは、夫々前記本体棒部材によりスライド可能に貫通されており、隣り合う位置決め部材の相互間毎にスペーサが配置されるように並べて前記本体棒部材に装着した後、前記位置決め部材及びスペーサの列を前記係止部材と前記ナットとにより直接的に又は締付用カラーを介して間接的に締め付けて固定してあり、前記本体棒部材は、該本体棒部材と前記支持棒の他方の端部とを分離したとき前記位置決め部材又は前記設定用スペーサの幅のうち何れか大きいほうの幅に相当する長さ以上に前記支持棒の他方の端部から後退可能であることを特徴とするものがよい。
【発明の効果】
【００１５】
本発明によれば、シート分割巻取機で処理する帯状シートの材質、厚み等の巻取条件が変わることに起因して、帯状シートが巻軸に至る間にその分帯状シートに蛇行による幅方向のずれが生じる場合であっても、位置決め部材の配置変更作業を的確に短時間で簡単に行うことができ、しかも構造が比較的簡素な巻芯位置決め装置を提供することができる。そしてシート分割巻取機の稼働率や歩留を向上させることができる。
【図面の簡単な説明】
【００１６】
【図１】シート分割巻取装置の一例を示す側面図である。
【図２】本発明の一実施例に係る巻芯位置決め装置の概略正面図である。
【図３】図２に示す支持棒の右端付近を示す縦断面図である。
【図４】位置微調整機構の側面図である。
【図５】位置決め部材の配置変更時の巻芯位置決め装置の概略正面図である。
【図６】本発明の他の実施例に係る巻芯位置決め装置の概略正面図である。
【図７】位置微調整機構の変更態様の説明図である。
【発明を実施するための形態】
【００１７】
図１は本発明の一実施例に係る巻芯位置決め装置を適用したシート分割巻取機の一例を示す側面図、図２は本発明の一実施例に係る巻芯位置決め装置の概略正面図である。シート分割巻取機は、広幅の帯状シートＳ０をスリッターＫにより複数条の帯状シートＳに分割して二本の巻軸１、１へ振分け、その振り分けた帯状シートＳを、巻軸１により保持された個々の巻芯Ｃのまわりに巻取ることにより、帯状シートＳの巻取ロールＲを形成する。
【００１８】
巻芯位置決め装置２は、巻軸１に平行な支持棒３と、支持棒３上に装着した、巻芯Ｃ毎の位置決め部材４と、支持棒３を巻軸１に対して接近離反可能に両端支持する一対の可動腕５とを備える。
【００１９】
巻軸１は巻芯Ｃの内周面を把持可能な公知の把持手段を有しており、一本で複数の巻芯Ｃを貫通して所要位置に保持することができる。また巻芯装着後は左右の機枠６、６の間の所定位置に保持され、巻取運転中には回転駆動される。
【００２０】
巻芯Ｃは、この実施例では内側円筒部ｃ１、外側円筒部ｃ２、その両者をつなぐ腕部ｃ３からなり、分割された帯状シートＳを巻付ける外周面の半径（外径）と、巻軸１より支持される内周面との半径（内径）との差が大きいものである。この場合、位置決め部材４が巻芯位置決め時に巻芯Ｃの端面の外周面付近の部分のみに係合するものであると、巻芯Ｃの中心軸線が巻軸１の中心軸線に対して傾いた状態で巻芯Ｃが保持され易いので、これを防ぐために、位置決め部材４を、支持棒３の外周面に装着する基部４ｂと、この基部４ｂから支持棒３の長手軸線方向に垂直に伸びた腕部４ａとで構成し、腕部４ａが巻芯Ｃの端面の、巻軸１の外周面直近部分、つまり内側円筒部ｃ１の端面にも当接可能にしている。
【００２１】
各位置決め部材４は、同じ大きさで同じ形状に形成してある。また支持棒３に夫々回転不能に装着してあるので支持棒３に対して同じ姿勢を保つことができる。また巻軸１に外挿した各巻芯Ｃの保持位置に対応するように支持棒３上に配置してある。
【００２２】
一対の可動腕５は左右の機枠６に設けた、巻軸１に平行な一対の支点軸７に、該支点軸７を中心に揺動可能かつ該支点軸７の長手方向に移動不能に装着してある。そしてその可動腕５の自由端に支持棒３を保持している。また一対の可動腕５、５間には両者を結合するためのステー５ａが固設してある。可動腕５には流体圧シリンダ装置８のピストンロッド先端が連結してあり、この流体圧シリンダ装置８のシリンダ部の一端は機枠６に連結してある。一対の可動腕５は、流体圧シリンダ装置８の働きによって図１に実線で示す待機姿勢と、図１に２点鎖線で示す位置決め姿勢をとることができる。可動腕５が待機姿勢をとると支持棒３が巻軸１から離反すると共に位置決め部材４が退避位置につき、可動腕５が位置決め姿勢をとると支持棒３が巻軸１に接近すると共に位置決め部材４が進出位置につくことができる。
【００２３】
巻芯位置決め時に位置決め部材４が進出位置につくと、その腕部４ａの先端部分側面が巻芯Ｃの端面に係合可能になり、この位置決め部材４が、巻軸１に外挿された巻芯Ｃの巻軸１沿いの移動を阻止することにより、巻芯Ｃを巻軸１上の保持位置に位置決めすることができる。
【００２４】
図２に示すように、巻芯位置決め時に、所定位置についた巻軸１に対して多数の位置決め部材４の位置を同時に巻軸１の長手方向に微調整できるようにするために、巻芯位置決め装置２は、支持棒３をその長手方向に移動可能に案内する案内機構９と、巻軸１に対する支持棒３の位置をその長手方向に微調整可能な位置微調整機構１０を備える。
【００２５】
案内機構９は一対の可動腕５に夫々固設した中空円筒状のブッシュ１１、１２からなり、このブッシュ１１、１２の内周面に支持棒３の両端部１３、１４の外周面をすきまばめの関係になるよう嵌め合わせている。
【００２６】
各位置決め部材４を、巻軸１に外挿した各巻芯Ｃの保持位置に対応するように支持棒３上に配置するために、巻芯位置決め装置２は、支持棒３上の位置決め部材４の相互間隔を所定の間隔に保持するためのスペーサ１５と、支持棒３の一方の端（図２では左端）に近い箇所に配設した係止部材１６と、支持棒３の他方の端（図２では右端）に近い箇所に配設したナット１７を備えている。
【００２７】
係止部材１６及びスペーサ１５は、夫々中空の円筒体でできており、支持棒３の外周面にスライド可能に嵌合してある。係止部材１６は、半径方向に設けた孔に螺着した公知の止めネジ１８を有しており、この止めネジ１８により支持棒３に所要位置で固定することができる。スペーサ１５は、分割された帯状シートＳに対応する位置に配置された隣り合う巻芯Ｃの夫々同じ側の端面同士の間隔の大きさＬから位置決め部材の基部４ｂの長さＬｂを差し引いた値に等しい長さＬｓを有している。
【００２８】
支持棒３上の位置決め部材４及びスペーサ１５は、隣り合う位置決め部材４、４の相互間毎にスペーサ１５が配置されるように並べて支持棒３に装着した後、この位置決め部材４及びスペーサ１５の列を係止部材１６とナット１７とにより締め付けて固定してある。
【００２９】
なお図２に示す実施例の場合、ナット１７が螺合しているメネジの長さが短いためナット１７による締付け可能な範囲が狭い。そこでナット１７と最も右端の位置決め部材４との間に、適当する長さの中空円筒状の締付用カラー１９を介在させている。したがって係止部材１６とナット１７とは間接的に位置決め部材４及びスペーサ１５の列を挟んで締付けている。必要に応じて、締付用カラー１９を用いず係止部材１６とナット１７とにより直接的に挟んで締付け固定してもよいし、左端の位置決め部材４と係止部材１６との間に締付用カラーを介在させてもよい。
【００３０】
位置決め部材４の基部４ｂ、スペーサ１５、係止部材１６及び締付用カラー１９は、夫々その両端面を支持棒３の中心軸線に対して垂直に形成してある。
【００３１】
図３及び図４おいて、位置微調整機構１０は、支持棒３を長手方向に移動するための回転駆動力を受ける操作部２０を有し、この操作部２０が受けた回転駆動力を支持棒３の長手方向の減速された駆動力に変換して支持棒３に加えることができるものである。そして、そのように構成するために、支持棒３の右側の端部１４に該支持棒３の中心軸線と同心状に螺合したネジ棒２１を備えている。ネジ棒２１はオネジ形成部分の後側に軸部２２を有し、この軸部２２は、可動腕５に固着した保持部材２３をスライド可能に貫通している。一方、操作部２０は回転ノブからなり、これと一体に回転するスピンドル２４を有し、このスピンドル２４は可動腕５により回転可能に保持してある。またスピンドル２４の先端部には傘歯車２５が固着してあり、この傘歯車２５は、ネジ棒２１の軸部２２に固着した傘歯車２６と噛み合っている。軸部２２の肩と傘歯車２６のボス部端面とで保持部材２３を挟んでネジ棒２１を軸線方向に拘束しているので、ネジ棒２１は可動腕５により回転可能にかつ軸線方向に拘束されて保持されている。またブッシュ１２の外周面には軸線に平行に伸びたキー溝２７が形成してあり、このキー溝２７にキー部材２８の一端が長手方向にスライド可能に嵌っており、キー部材２８の他端は、支持棒３の右側の端部１４にボルト２９により固定されているので、支持棒３の右側の端部１４は、可動腕５に対して回転不能になっている。したがって、操作部２０が支持棒３を移動するための回転駆動力を受けて回転すると、その回転がネジ棒２１に伝達されてネジ棒２１が回転し、この回転運動により、メネジを形成してある支持棒３の右側の端部１４が軸線方向に移動する。また支持棒３の軸線方向の移動速度はネジ棒２１に形成されたネジのリード角の大きさに応じて減速される。これにより支持棒３の位置の微調整が正確かつ容易になる。また位置の微調整中に巻軸１に対する支持棒３の移動量を把握できるようにするために、操作部２０はその操作部２０の可動腕５に対する回転数を計数して総回転数を指針で表示するインジケータ（図示しない）を備えている。
【００３２】
支持棒３の右側の端部１４は短い棒部材からなり、支持棒３の本体棒部材３０の右側の端部に分離可能に固着してある。支持棒３の右側の端部１４には、その本体棒部材３０側に本体棒部材３０の右側の先端を受け入れる穴３１を形成した係合部１４ａを設け、係合部１４ａの外周面にはメネジを形成した半径方向の孔３２を設け、この孔３２にノブの付いたボルト３３を螺着している。一方、本体棒部材３０の先端部にはその外周面から半径方向に穴３４を形成している。そして本体棒部材３０を右側の端部を係合部１４ａの穴３１に嵌め、ボルト３３の、円柱状に形成した先端部３３ａを本体棒部材３０の穴３４に嵌めることにより、支持棒３の端部１４は本体棒部材３０の右側端部に固着される。またボルト３３の先端部３３ａを本体棒部材３０の右側端部の穴３４から抜取ることにより、支持棒３の端部１４は本体棒部材３０から分離可能になる。ナット１７は、支持棒３の右側の端部１４の係合部１４ａの外周面に形成したメネジに螺着してある。位置決め部４材及びスペーサ１５は、夫々本体棒部材３０によりスライド可能に貫通されている。
【００３３】
可動腕５には、それにスピンドル２４を固定するためのハンドル付きボルト３５が備えてある。このハンドル付きボルト３５は、それを締めるとねじ棒２１の回転を阻止できるので、支持棒３の位置微調整後の不用意な移動を防ぐために用いる。
【００３４】
位置決め部材４を支持棒３に対して回転不能にするために、位置決め部材４の基部４ｂに半径方向に止めねじ３６を螺着すると共に、その止めねじ３６の先端部に形成した円筒部分３７を、本体棒部材３０の外周面に形成したキー溝３８にスライド可能に嵌めて滑キーとしている。
【００３５】
図５に示すように本体棒部材３０と支持棒３の右側の端部１４とを分離したとき、位置決め部材４又は設定用スペーサ１５の幅のうち何れか大きいほうの幅に相当する長さ以上に、本体棒部材３０は支持棒３の右側の端部１４から後退可能にしてある。
【００３６】
スリッター巻取機においてスリッターＫによる帯状シートの分割仕様が変更された場合、巻軸１上の巻芯Ｃの配置が変わるので、上述の巻芯位置決め装置２では、分割された帯状シートＳの予定した供給位置に巻芯Ｃが配置されるよう支持棒３上における位置決め部材４の配置を変える。その後、巻芯位置決め装置２により巻芯の位置決めを行うには、先ずスリッター巻取機の巻取運転を低速で開始して分割された帯状シートＳの蛇行状況を把握する。そのとき分割された帯状シートＳの供給位置に対して巻芯Ｃの支持位置がずれていれば、そのずれの分だけ、ずれが無くなる方向に位置微調整機構１０によって支持棒３を長手方向に移動させ、支持棒３の位置を微調整する。これにより巻軸１に対して支持棒３上の全ての位置決め部材４の位置一斉に修正される。位置微調整機構１０により支持棒３を移動させるには、作業者が手で操作部２０に回転駆動力を加え、この操作部２０を必要な方向に必要な回転数だけ回転させる。その際、操作部２０に備えたインジケータを見ながら操作すると容易かつ正確に素早く位置決め部材４の位置の微調整が可能になる。
【００３７】
上述の巻芯位置決め装置２において、支持棒３上の位置決め部材４の配置を変更するには、作業者がノブ付きボルト３３を回して支持棒３の右側の端部１４を本体棒部材３０から分離可能にした後、図５に示すように本体棒部材３０を支持棒３の右側の端部１４から後退させて、本体棒部材３０の先端と支持棒３の右側の端部１４との間を位置決め部材４の幅やスペーサ１５の幅より大きく開け、その後、本体棒部材３０上の不要になった位置決め部材４及びスペーサ１５を本体棒部材３０の先端から抜き取る。
【００３８】
次に、新しく必要となった巻芯Ｃの巻軸１上の配置に応じて位置決め部材４が支持棒３上に配置されるように、適当する幅のスペーサ１５を選び、そのスペーサ１５と位置決め部材４とを、必要な順番で本体棒部材３０の先端からその本体棒部材３０上に装着する。なお、このとき必要に応じて係合部材１６の位置を調整したり、適当な幅の締付用カラー１９を選択して装着したりしておく。
【００３９】
必要な全ての位置決め部材１５及びスペーサ１５が装着されると、本体棒部材３０を支持棒３の右側端部１４へ向けて移動させ、図３に示すように本体棒部材３０の先端部を穴３１に嵌めて、支持棒３の右側の端部１４と本体棒部材３０に固着させる。その後、ナット１７を回して位置決め部材４及びスペーサ１５の列を係止部材１６とナット１７とにより締め付けて固定する。この実施例の場合、ナット１７を支持棒の右側の端部１４から取外すことなく、その端部１４を本体棒部材３０から分離、結合させることができるので便利である。
【００４０】
図６は本発明の別の実施例に係る巻芯位置決め装置の概略正面図である。図６において、支持棒３の両端部は一対の可動腕５、５に固着し、一対の可動腕５、５は一対の支持体３９、３９に巻軸に平行に固設した支点軸７、７に装着してある。一対の可動腕５には流体圧シリンダ装置８のピストンロッド先端が連結してあり、この流体圧シリンダ装置８のシリンダ部の一端は支持体３９に連結してある。また支持体３９は、機枠６に固設した、支持棒３に平行なレール４０にスライド可能に装着してある。したがって、支持体３９はレール４０により支持棒３の長手方向に平行に案内され、支持体３９上の支持棒３はその長手方向にレール４０により間接的に案内される。したがって、この実施例では左右のレール４０、４０が、支持棒３をその長手方向に移動可能に直接的又は間接的に案内する案内機構９になっている。また、位置微調整機構１０は人手により操作するハンドル２０を有している。このハンドル２０は、ブラケット４１により回転可能に保持されたスピンドル４２の一端に固着してあり、ブラケット４１は支持体３９に固着してある。スピンドル４２の他の一端にはピニオン４３が固着してあり、このピニオン４３は、右側のレール４０に平行に機枠６に固設したラック４４に噛み合っている。そしてハンドル２０の直径はピニオン４３のピッチ円直径より大きくしてある。ハンドル２０を回すと、ピニオン４３がラック４４上を移動し、それに伴い支持体３９と共に支持棒３がレール４０に案内されて移動する。
【００４１】
本発明では、その実施態様は上述のものに限らず、必要に応じて多様に変わり得る。例えば位置微調整機構１０は、図３に示すように、支持棒３の端部１４に該支持棒３の中心軸線と同心状に螺合すると共に、可動腕５により回転可能にかつ軸線方向に拘束して保持したネジ棒２１と、ネジ棒２１に操作部２０の回転を伝達する手段２４、２５、２６とからなるものに限らず、図７に示すように支持棒３の端部１４に固設したネジ棒２１と、このネジ棒２１に螺合したメネジ体４５と、メネジ体４５を回転可能かつ軸線方向に拘束して保持する、可動腕５に固設した保持体４６とからなり、メネジ体４５を操作部としたもの、或いはメネジ体４５に操作部の回転を伝達する手段を備えたものでもよい。また図６においてラック４４を機枠６に固設する代わりに、ラックを支持体３９に固設し、かつハンドル２０及びピニオン４３を保持するスピンドル４２を保持するブラケット４１を機枠６上に設けたものでもよい。またラックを支持棒の端部に形成し、このラックに噛み合うピニオンや操作部を可動腕上の所定位置に設けたものでもよい。また可動腕を装着した支点軸を、機枠に固設する代わりに、機枠に固設したブッシュに、その支点軸長手方向にスライド可能に装着することにより、間接的に支持棒をその長手方向に移動可能に案内するようにしてもよい。
【符号の説明】
【００４２】
Ｓ  分割された帯状シート
Ｃ  巻芯
１  巻軸
２  巻芯位置決め装置
３  支持棒
４  位置決め部材
５  可動腕
８  流体圧シリンダ装置
９  案内機構
１０  位置微調整機構
１１  ブッシュ
１２  ブッシュ
１３  支持棒の一方の端部
１４  支持棒の他方の端部
１５  スペーサ
１６  係止部材
１７  ナット
２０  操作部
２１  ネジ棒
２４  スピンドル
２５  傘歯車
２６  傘歯車
３０  本体棒部材  
【図１】
2010195500.tif 000003
【図２】
2010195500.tif 000004
【図３】
2010195500.tif 000005
【図４】
2010195500.tif 000006
【図５】
2010195500.tif 000007
【図６】
2010195500.tif 000008
【図７】
2010195500.tif 000009